(57)【要約】      （修正有）【課題】作業性の向上および小型化を実現する手持ち式電動研磨装置を得る。【解決手段】手持ち式電動研磨装置１０は、駆動源となるモータ２１と、モータ２１を収容するハウジング本体部１３と、モータ２１からの駆動力により駆動する研磨手段３１と、液体が収容されるタンク３３と、液体を流動させるポンプ３５と、液体を噴出させるノズル３７とを備える。前記タンク３３の少なくとも一部が、ユーザが把持するためにハウジング本体部１３に設けられる第一ハンドル部１５又は第二ハンドル部１７のいずれか一方の中に収容されることを特徴とする。【選択図】図４
2018062022.tif 000002
【特許請求の範囲】
【請求項１】
駆動源となるモータと、
前記モータを収容するハウジング本体部と、
前記モータからの駆動力により駆動する研磨手段と、
を備える手持ち式電動研磨装置であって、
液体が収容されるタンクと、
前記液体を流動させるポンプと、
前記液体を噴出させるノズルと、
を備え、
前記タンクの少なくとも一部が、ユーザが把持するために前記ハウジング本体部に設けられる第一ハンドル部又は第二ハンドル部のいずれか一方の中に収容されることを特徴とする手持ち式電動研磨装置。
【請求項２】
請求項１に記載の手持ち式電動研磨装置において、
前記第二ハンドル部は、前記ハウジング本体部を介して前記第一ハンドル部の反対側に配置されることを特徴とする手持ち式電動研磨装置。
【請求項３】
請求項１又は２に記載の手持ち式電動研磨装置において、
前記ポンプは、前記タンクの研磨手段側に配置されることを特徴とする手持ち式電動研磨装置。
【請求項４】
請求項１〜３のいずれか１項に記載の手持ち式電動研磨装置において、
前記第二ハンドル部は、前記液体を噴出させるためのスイッチノブを備えることを特徴とする手持ち式電動研磨装置。
【請求項５】
請求項１〜４のいずれか１項に記載の手持ち式電動研磨装置において、
前記ノズルは、通常の使用状態において、前記ハウジング本体部の前側下部に配置されることを特徴とする手持ち式電動研磨装置。
【発明の詳細な説明】
【技術分野】
【０００１】
本発明は、手持ち式電動研磨装置に関するものである。
【背景技術】
【０００２】
従来から、モータからの駆動力により駆動する研磨手段が研磨作業を行うようにした電動研磨装置が知られている。例えば、下記特許文献１には、手数をかけずに万遍なく均一にワックスを塗布して、美しい仕上がりを可能とした手持ち式電動研磨装置（自動車外装用ポリッシャ）が開示されている。また例えば、下記特許文献２には、起動時の手に与えるショックをなくし、艶出面に刷子体を斜めに接合してもはじかれることがなく、安全に操作し得る手持ち式電動研磨装置（可搬式艶出機）が開示されている。
【先行技術文献】
【特許文献】
【０００３】
【特許文献１】実開昭５９−１２８３４９号公報
【特許文献２】実開昭４９−４１８６３号公報
【発明の概要】
【発明が解決しようとする課題】
【０００４】
上掲した特許文献１に記載される自動車外装用ポリッシャや特許文献２に記載される可搬式艶出機では、ワックスなどの液体を収容するタンク（ボンベ）が、ユーザが把持するハンドルに近接して配置されている。したがって、これら従来技術に係る手持ち式電動研磨装置には、ユーザがハンドルを把持して作業を行う際、タンク（ボンベ）が作業の邪魔になってしまうという課題があった。
【０００５】
本発明は、上述した従来技術に存在する課題に鑑みて成されたものであり、その目的は、作業性の向上および小型化を実現する手持ち式電動研磨装置を提供することにある。
【課題を解決するための手段】
【０００６】
以下、本発明について説明する。なお、本発明の理解を容易にするために添付図面の参照番号を括弧書きにて付記するが、それにより本発明が図示の形態に限定されるものではない。
【０００７】
本発明に係る手持ち式電動研磨装置（１０）は、駆動源となるモータ（２１）と、前記モータ（２１）を収容するハウジング本体部（１３）と、前記モータ（２１）からの駆動力により駆動する研磨手段（３１）と、を備える手持ち式電動研磨装置（１０）であって、液体が収容されるタンク（３３）と、前記液体を流動させるポンプ（３５）と、前記液体を噴出させるノズル（３７）と、を備え、前記タンク（３３）の少なくとも一部が、ユーザが把持するために前記ハウジング本体部（１３）に設けられる第一ハンドル部（１５）又は第二ハンドル部（１７）のいずれか一方の中に収容されることを特徴とするものである。
【０００８】
また、本発明に係る手持ち式電動研磨装置（１０）は、前記第二ハンドル部（１７）が、前記ハウジング本体部（１３）を介して前記第一ハンドル部（１５）の反対側に配置されることとすることができる。
【０００９】
さらに、本発明に係る手持ち式電動研磨装置（１０）は、前記ポンプ（３５）が、前記タンク（３３）の研磨手段（３１）側に配置されることとすることができる。
【００１０】
またさらに、本発明に係る手持ち式電動研磨装置（１０）は、前記第二ハンドル部（１７）が、前記液体を噴出させるためのスイッチノブ（３９）を備えることとすることができる。
【００１１】
さらにまた、本発明に係る手持ち式電動研磨装置（１０）は、前記ノズル（３７）が、通常の使用状態において、前記ハウジング本体部（１３）の前側下部に配置されることとすることができる。
【発明の効果】
【００１２】
本発明によれば、作業性の向上および小型化を実現する手持ち式電動研磨装置を提供することができる。
【図面の簡単な説明】
【００１３】
【図１】本実施形態に係る手持ち式電動研磨装置の右側面を示す図である。
【図２】本実施形態に係る手持ち式電動研磨装置の左側面を示す図である。
【図３】本実施形態に係る手持ち式電動研磨装置の平面側を示す図である。
【図４】本実施形態に係る手持ち式電動研磨装置の反割構造であるハウジングの右側のハウジング半割体を取り除いた状態を示す概略図である。
【図５】本実施形態に係る手持ち式電動研磨装置の縦断面を示す概略図であり、図３中のＡ−Ａ断面を示す図である。
【図６】本実施形態に係る手持ち式電動研磨装置の底面側を示す図である。
【発明を実施するための形態】
【００１４】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１５】
図１は、本実施形態に係る手持ち式電動研磨装置の右側面を示す図であり、図２は、本実施形態に係る手持ち式電動研磨装置の左側面を示す図である。また、図３は、本実施形態に係る手持ち式電動研磨装置の平面側を示す図である。さらに、図４は、本実施形態に係る手持ち式電動研磨装置の反割構造であるハウジングの右側のハウジング半割体を取り除いた状態を示す概略図である。また、図５は、本実施形態に係る手持ち式電動研磨装置の縦断面を示す概略図であり、図３中のＡ−Ａ断面を示す図である。さらに、図６は、本実施形態に係る手持ち式電動研磨装置の底面側を示す図である。なお、本明細書では、図１〜図３に示すように、説明の便宜のために、通常の使用状態におけるユーザから見た方向を手持ち式電動研磨装置の方向として定義した。ただし、この方向は、本実施形態に係る手持ち式電動研磨装置の使用時の方向を限定するものではなく、本実施形態に係る手持ち式電動研磨装置は、あらゆる姿勢で使用することができる。
【００１６】
本実施形態に係る手持ち式電動研磨装置１０は、図１〜図６に示すように、装置の外郭を構成するハウジング１１と、駆動源となるモータ２１と、モータ２１からの駆動力により駆動する研磨手段としての研磨パッド３１と、を有して構成される。
【００１７】
ハウジング１１は、モータ２１を収容するハウジング本体部１３と、ユーザが把持する第一ハンドル部１５と、ハウジング本体部１３を介して第一ハンドル部１５の反対側に配置される第二ハンドル部１７とを備える。本実施形態では、ハウジング１１は半割構造となっている。
【００１８】
ハウジング本体部１３の内部には、図４および図５に示すように、モータ２１と、後述する液体が収容されるタンク３３の一部と、液体を流動させるポンプ３５と、液体を噴出させるノズル３７とが設置される。
【００１９】
モータ２１は、ハウジング本体部１３内にモータ軸２３を縦方向に向けた状態で設置されている。モータ軸２３には、モータ軸２３と一体に回転するファン２５が備えられている。また、モータ軸２３の下端には研磨パッド３１が取り付けられている。
【００２０】
ハウジング本体部１３の外周には、図１〜図３に示すように、モータ２１を冷却するための冷却風を吸気する吸気口１９ａと、モータ２１の近傍を通過した冷却風を排気するための排気口１９ｂとが形成される。排気口１９ｂは、ファン２５の近傍に形成される。
【００２１】
第一ハンドル部１５と第二ハンドル部１７とは、ハウジング本体部１３を介して逆方向に設置される。より詳しくは、第一ハンドル部１５は、研磨パッド３１の中心線、すなわちモータ軸２３の延長線に対して後方側に配置されている。一方、第二ハンドル部１７は、研磨パッド３１の中心線、すなわちモータ軸２３の延長線に対して前方側に配置されている。このように、本実施形態に係る手持ち式電動研磨装置１０は、重量バランスに優れた構成となっている。
【００２２】
第一ハンドル部１５の端部には、図４および図５に示すように、電力コード１６が接続設置されており、不図示の外部電源からの電力を、この電力コード１６を介して駆動源となるモータ２１に供給できるようになっている。なお、図４および図５においては、ハウジング１１内の配線の図示を省略している。また、本実施形態では、電力コード１６を用いて外部電源から電力の供給を受けるようにした構成を例示したが、例えば、バッテリパック等を第一ハンドル部１５に装着して電力供給を受ける形式を採用しても良い。
【００２３】
第一ハンドル部１５の内部であってハウジング本体部１３の近傍には、スイッチ装置２７が設置されるとともに、このスイッチ装置２７に接続するトリガースイッチ２８が設置されている。スイッチ装置２７では、ユーザがトリガースイッチ２８を押し込むとＯＮ状態となり、モータ２１への電力供給を許容して手持ち式電動研磨装置１０の運転が可能となる。一方、ユーザがトリガースイッチ２８の押し込みを解除すると、スイッチ装置２７はＯＦＦ状態となり、モータ２１への電力供給が遮断されて手持ち式電動研磨装置１０の運転が停止される。なお、スイッチ装置２７には、図２に示すように、押し込まれたトリガースイッチ２８をそのまま押し込み状態で固定保持するための保持スイッチ２９が設置されており、ユーザがトリガースイッチ２８を押し込んだ状態で、さらに保持スイッチ２９を押し込むと、保持スイッチ２９の保持機構が作用してトリガースイッチ２８の押し込み状態が維持される。具体的には、ユーザがトリガースイッチ２８を押し込んだ状態で、さらに保持スイッチ２９を押し込むと、保持スイッチ２９に形成された不図示の係止溝がトリガースイッチ２８に係止することで、ユーザがトリガースイッチ２８から手指をはなしたとしても、トリガースイッチ２８の押し込み状態が保持されることでスイッチ装置２７のＯＮ状態が維持されるように構成されている。なお、トリガースイッチ２８の押し込み状態を解除する場合であるが、保持スイッチ２９には常に外方に向けて押し出す方向の力が不図示のバネによって加えられているので、押し込み保持状態にあるトリガースイッチ２８を少し押し込むと、保持スイッチ２９に形成された不図示の係止溝とトリガースイッチ２８との係止状態が解除されるとともに、保持スイッチ２９は外方に向けて押し出されるので、その結果としてトリガースイッチ２８の固定状態が解除され、スイッチ装置２７がＯＦＦ状態となる初期の運転停止状態に戻ることができる。
【００２４】
第二ハンドル部１７の内部には、図４および図５に示すように、ワックスや研磨剤、洗剤などの液体が収容されるタンク３３が設置される。タンク３３の略中央下部には、液体を注入するための注入口３３ａが形成されるとともに、この注入口３３ａを密封するシール部材３３ｂが設置される。
【００２５】
本実施形態では、図４および図５に示すように、タンク３３の一部とポンプ３５とノズル３７はハウジング本体部１３内に配置されている。タンク３３の下方には、タンク３３とポンプ３５を接続するゴム製のチューブ３４を介してポンプ３５が配置されている。すなわち、タンク３３の研磨パッド３１側にポンプ３５が配置されている。
【００２６】
ポンプ３５は、ゴム製のチューブ３６を介してノズル３７に接続されている。ノズル３７は、ポンプ３５の下方であって、ハウジング本体部１３の前側下部に配置されており、ノズル３７から噴出されたワックスなどの液体は、研磨パッド３１の前方において、研磨パッド３１の外周近傍の被研磨面に噴射されるように構成されている。このような構成により、ユーザは、ノズル３７から噴出された液体を確認し易くなっている。なお、ポンプ３５とノズル３７を接続するチューブ３６は、金属製であっても良い。
【００２７】
このように、本実施形態に係る手持ち式電動研磨装置１０は、第二ハンドル部１７内にタンク３３が設置され、ハウジング本体部１３内にタンク３３の一部、ポンプ３５およびノズル３７が設置されるように構成されている。第二ハンドル部１７内にタンク３３を配置することにより、本実施形態に係る手持ち式電動研磨装置１０は装置の小型化が可能となっている。また、本実施形態に係る手持ち式電動研磨装置１０は、タンク３３の下方にポンプ３５を配置したことにより、タンク３３に収容されたワックスなどの液体をスムーズにポンプ３５に供給することが可能となっている。さらに、本実施形態に係る手持ち式電動研磨装置１０は、ポンプ３５の下方にノズル３７を配置したことにより、ポンプ３５によって加圧されたワックスなどの液体をスムーズにノズル３６に供給することが可能となっている。すなわち、本実施形態に係る手持ち式電動研磨装置１０では、タンク３３、ポンプ３５、ノズル３６の順番で、これらが研磨パッド３１側に向かって直列配置されていることから、ワックスなどの液体をタンク３３から被研磨面へとスムーズに供給することが可能となっている。
【００２８】
第二ハンドル部１７の内部の端部には、ポンプ３５を駆動させるためのポンプスイッチ装置３８が設置される。また、第二ハンドル部１７の先端下部には、ポンプスイッチ装置３８に接続されるスイッチノブ３９が設置されている。ポンプスイッチ装置３８は、ユーザがスイッチノブ３９を押し込むとＯＮ状態となり、ポンプ３５に電力が供給されてポンプ３５が駆動し、タンク３３に収容される液体がノズル３７から噴出されるようになっている。一方、ユーザがスイッチノブ３９への押し込みを解除すると、ポンプスイッチ装置３８はＯＦＦ状態となり、ポンプ３５への電力供給が遮断されてポンプ３５が停止し、ノズル３７からの液体の噴出も停止する。
【００２９】
以上、本実施形態に係る手持ち式電動研磨装置１０の基本的な構成例を説明した。次に、本実施形態に係る手持ち式電動研磨装置１０の動作説明を行う。
【００３０】
ユーザは、本実施形態に係る手持ち式電動研磨装置１０の第一ハンドル部１５を利き手の手指にて把持するとともに、第二ハンドル部１７を利き手とは逆の手を添えることで、手持ち式電動研磨装置１０を好適に操作することができる。本実施形態に係る手持ち式電動研磨装置１０は、あらゆる姿勢で使用することができる。すなわち、水平な床面に対して用いるだけではなく、鉛直方向に延びる壁面や天井面、複雑な曲面が集合した面に対しても、用いることができる。
【００３１】
研磨パッド３１には、バフ等の研磨手段を取り付けることで研磨作業が可能となる。このようにして、操作者による手持ち式電動研磨装置１０の動作準備が完了する。
【００３２】
次に、ユーザが利き手側の指でトリガースイッチ２８を押し込むと、スイッチ装置２７はＯＮ状態となり、モータ２１への電力供給が実施されて、モータ２１が駆動を開始する。このとき、保持スイッチ２９を利用することで、ユーザがトリガースイッチ２８から指を放したとしてもトリガースイッチ２８が固定され、スイッチ装置２７のＯＮ状態が維持される状態とすることもできる。
【００３３】
モータ２１が駆動を開始すると、モータ２１が備えるモータ軸２３が回転駆動される。モータ軸２３には、研磨パッド３１が取り付けられて固定接続されているので、モータ軸２３の回転駆動力により研磨パッド３１も回転運動を行うことになる。この回転運動により、手持ち式電動研磨装置１０は、被研磨面の研磨作業を行うことが可能な状態となる。なお、研磨作業には、被研磨面にワックスなどの液体を塗布することなども含まれる。
【００３４】
研磨作業中に被研磨面にワックスなどの液体を供給する場合は、ユーザが利き手とは逆の手の指でスイッチノブ３９を押し込むと、ポンプスイッチ装置３８はＯＮ状態となり、ポンプ３５に電力が供給されてポンプ３５が駆動し、タンク３３に収容される液体がノズル３７から噴出される。このワックスなどの液体は、研磨パッド３１の外周近傍の被研磨面に噴射されることとなる。一方、ユーザがスイッチノブ３９への押し込みを解除すると、ポンプスイッチ装置３８はＯＦＦ状態となり、ポンプ３５への電力供給が遮断されてポンプ３５が停止し、ノズル３７からの液体の噴出も停止する。このように、スイッチノブ３９を操作することで必要量のワックスなどの液体を被研磨面に簡単に供給することができる。
【００３５】
そして、ユーザが利き手側の指でトリガースイッチ２８の押し込みを解除すると、スイッチ装置２７はＯＦＦ状態となり、モータ２１への電力供給が遮断されて手持ち式電動研磨装置１０の運転が停止される。
【００３６】
本実施形態に係る手持ち式電動研磨装置１０は、タンク３３が第二ハンドル部１７内に収容されて第一ハンドル部１５に近接設置されていないため、ユーザが第一ハンドル部１５を把持して研磨作業を行う際、タンク３３が研磨作業の邪魔となることがない。
【００３７】
また、本実施形態に係る手持ち式電動研磨装置１０は、ユーザが利き手で第一ハンドル部１５を把持して研磨作業を行っている際、ユーザが第二ハンドル部１７を把持している利き手とは逆の手の指で、液体をノズル３７から噴出するためのスイッチノブ３９を操作することができるようになっている。したがって、液体を供給するために作業を中断することなく連続して研磨作業を行うことができる。そのため、被研磨面の品質を向上させることができ、例えば、斑の発生を低減することが可能である。
【００３８】
以上より、本実施形態に係る手持ち式電動研磨装置１０によれば、作業性の向上および小型化が実現可能な手持ち式電動研磨装置１０を提供することができる。
【００３９】
以上、本発明の好適な実施形態について説明したが、本発明の技術的範囲は上記実施形態に記載の範囲には限定されない。上記実施形態には、多様な変更又は改良を加えることが可能である。
【００４０】
上述した実施形態では、タンク３３は、第二ハンドル部１７内に設置されているが、例えば、第一ハンドル部１５内に設置することが可能であり、さらに、タンク３３の一部がハウジング本体部１３内に配置されても良い。
【００４１】
また、上述した実施形態では、タンク３３に形成される注入口３３ａは、タンク３３の略中央下部に形成されているが、注入口３３ａの形成箇所はこれに限定されず、例えば、タンク３３の上部に形成しても良い。
【００４２】
その様な変更又は改良を加えた形態も本発明の技術的範囲に含まれ得ることが、特許請求の範囲の記載から明らかである。
【符号の説明】
【００４３】
１０  手持ち式電動研磨装置、１１  ハウジング、１３  ハウジング本体部、１５  第一ハンドル部、１６  電力コード、１７  第二ハンドル部、２１  モータ、２３  モータ軸、２５  ファン、２７  スイッチ装置、２８  トリガースイッチ、２９  保持スイッチ、３１  研磨パッド、３３  タンク、３３ａ  注入口、３３ｂ  シール部材、３４  チューブ、３５  ポンプ、３６  チューブ、３７  ノズル、３８  ポンプスイッチ装置、３９  スイッチノブ。
【図１】
2018062022.tif 000003
【図２】
2018062022.tif 000004
【図３】
2018062022.tif 000005
【図４】
2018062022.tif 000006
【図５】
2018062022.tif 000007
【図６】
2018062022.tif 000008